(57)【要約】【課題】品位を損ねることなく、不具合のない、薄型化、および低コストを実現した表示装置を搭載する電子機器を提供すること。【解決手段】液晶表示パネルの信号を伝えるフレキシブル回路基板を有する液晶表示パネルユニットと、前記液晶表示パネルユニットを保護するための保護窓と、を貼り合わせた液晶表示パネル表示装置と、前記保護窓の外周で位置を決定するための開口を有する外装カバーと、前記外装カバーと隣接していて、前記フレキシブル回路基板の近傍を構成する外装カバーと、を有する電子機器において、前記保護窓の端部は、液晶表示パネルユニットの端部よりも外側へ突出していること、前記外装カバーには突出部が設けられており、前記突出部は前記保護窓の端部と前記外装カバーの開口部にできる隙間を覆っていること、前記突出部には、保護窓の受け部が設けられていること。【選択図】図４
2014235208.tif 000002
【特許請求の範囲】
【請求項１】
液晶表示パネルの信号を伝えるフレキシブル回路基板１２２を有する液晶表示パネルユニット１２０と、前記液晶表示パネルユニット１２０を保護するための保護窓１１１と、を貼り合わせた液晶表示パネル表示装置１００と、
前記保護窓１１１の外周で位置を決定するための開口を有する外装カバー２００と、
前記外装カバー２００と隣接していて、前記フレキシブル回路基板１２２の近傍を構成する外装カバー１６０と、
を有する電子機器において、
前記保護窓１１１の端部１１１ａは、液晶表示パネルユニット１２０の端部１２１ａよりも外側へ突出していること、
前記外装カバー１６０には突出部１６１が設けられており、前記突出部１６１は前記保護窓１１１の端部１１１ａと前記外装カバー２００の開口部にできる隙間２０１を覆っていること、
前記突出部１６１には、保護窓の受け部１６１ａが設けられていること、
を特徴とする電子機器。
【請求項２】
前記外装カバー２００は導電性部材製であることを特徴とする請求項１に記載の電子機器。
【請求項３】
前記外装カバー１６０は導電性部材製であることを特徴とする請求項１又は請求項２に記載の電子機器。
【請求項４】
前記突出部１６１は、傾斜部１６１ｂを有することを特徴とする請求項１乃至請求項３の何れか１項に記載の電子機器。
【請求項５】
前記突出部１６１に、導電性のシート１６２を有することを特徴とする請求項１乃至請求項４の何れか１項に記載の電子機器。
【発明の詳細な説明】
【技術分野】
【０００１】
本発明は、デジタルカメラなどの表示装置を搭載する電子機器に関するものである。
【背景技術】
【０００２】
近年、デジタルカメラなどの携帯電子機器は薄型化およびコストダウンが、激しくなってきている。
【０００３】
その中で、デジタルカメラに搭載されている液晶パネルなどの表示装置部は、デジタルカメラ本体の厚みに大きな割合を占めている部分である。液晶表示パネルには、一般的に薄いガラス基板が用いられており、外力により破損したり、撓みによって配向が変化し表示ムラが発生したりし易い。この為、外装部材にガラス製の保護窓やＰＭＭＡなどの光透過率のよい無色透明樹脂で形成した保護窓を設け、液晶パネルが直接外観に露出しないよう保護している。従来より、この保護窓は外装カバーに接着して取り付けられることが多い。液晶パネルは、コストを抑える目的で本体との接続用のフレキシブル回路基板をできる限り短くし、デジタルカメラの本体側に取り付けられることが多い。この時、組立や部品のばらつきなどを考慮すると、保護窓と液晶パネルの間には大きなクリアランスを設ける必要がある。これは、デジタルカメラの薄型化を阻害する要因の１つとなっている。
【０００４】
また、無色透明樹脂製の保護窓を直接液晶パネルに貼り付けることによって、保護窓と液晶パネルのクリアランスを最小限にして、薄型化を実現する方法がある。保護窓を直接液晶パネルに貼り付けると、貼り付け時の位置ズレなどが懸念される。保護窓の外形と外装カバーの窓枠開口部にて位置決めすることによって、外観上の隙間を最小限に抑えることができる。保護窓と外装カバーの窓枠開口部には、最小限の隙間が必要となるが、その隙間から液晶パネルやバックライトのフレキシブル回路基板が見えてしまい、品位を損ねることがある。この時、遮光部材を追加して、フレキシブル回路基板が隙間から見えてしまうことを防ぐ方法が知られている（特許文献１参照）。
【先行技術文献】
【特許文献】
【０００５】
【特許文献１】特開２０１１−１５８７７２号公報
【発明の概要】
【発明が解決しようとする課題】
【０００６】
しかしながら、この方法を採用すると、遮光部材を追加する必要があり、コストが上がってしまう。さらに、遮光部材が小さく、貼り付ける位置も狭く、貼り付け作業が困難であるという問題がある。また、隙間からフレキシブル回路基板が近いことから、静電気による影響を受け易いという問題もある。
【０００７】
本発明は、このような問題を鑑みて、品位を損ねることなく、静電気による影響のない、薄型化、および低コストを実現した表示装置搭載する電子機器を提供するものである。
【課題を解決するための手段】
【０００８】
液晶表示パネルの信号を伝えるフレキシブル回路基板を有する液晶表示パネルユニットと、前記液晶表示パネルユニットを保護するための保護窓と、を貼り合わせた液晶表示パネル表示装置と、前記保護窓の外周で位置を決定するための開口を有する外装カバーと、前記外装カバーと隣接していて、前記フレキシブル回路基板の近傍を構成する外装カバーと、を有する電子機器において、
前記保護窓の端部は、液晶表示パネルユニットの端部よりも外側へ突出していること、前記外装カバーには突出部が設けられており、前記突出部は前記保護窓の端部と前記外装カバーの開口部にできる隙間を覆っていること、前記突出部には、保護窓の受け部が設けられていることを特徴とする。
【発明の効果】
【０００９】
本発明によれば、品位を損ねることなく、静電気による影響のない、薄型化、および低コストを実現した表示装置を搭載する電子機器を提供することが可能となる。
【図面の簡単な説明】
【００１０】
【図１】本発明の第１の実施形態であるデジタルカメラの背面斜視図および正面斜視図
【図２】本発明の第１の実施形態である表示装置の分解斜視図
【図３】本発明の第１の実施形態であるデジタルカメラの分解斜視図
【図４】本発明の第１の実施形態であるデジタルカメラの背面図と断面拡大図
【図５】本発明の第２の実施形態であるデジタルカメラの背面図と断面拡大図
【発明を実施するための形態】
【００１１】
以下、本発明に関する実施形態について図面を参照して詳細に説明する。
【００１２】
＜第１の実施形態＞
図１は、本発明の第１の実施形態であるデジタルカメラ１の斜視図である。図１（ａ）は、背面斜視図で、図１（ｂ）は、正面斜視図である。デジタルカメラ１の背面には、撮影画像を表示する液晶表示パネルの表示装置１００が配置されている。表示装置１００は、タッチ操作が可能なタッチパネル式の表示装置となっている。そのため、デジタルカメラ１の背面の大部分は、表示装置１００にて構成されている。表示装置１００の周囲を形成する外装カバーは、アルミニウム合金などの金属製のリアカバー２００である。
【００１３】
デジタルカメラ１の上面には、電源ＯＮ／ＯＦＦ操作をする為の電源ボタン１０、撮影時に撮影を開始する為のレリーズボタン１１、ズーム操作を行う為のズームレバー１２、が配置されている。その他、撮影を行うための撮影モードと撮影した画像を再生するための再生モードの切り替えを行う再生ボタン１３、電源のＯＮ／ＯＦＦ状態を表示するためのＬＥＤ表示部１４が配置されている。これらの電源ボタン１０やレリーズボタン１１の周囲を形成する外装カバーは、トップカバー１５０である。
【００１４】
デジタルカメラ１のグリップ側側面には、外部端子コネクタを覆い隠す為のコネクタカバー１５が配置されている。コネクタカバー１５の下側には、リストストラップを通す為のストラップ取り付け部１６が配置されている。これらのコネクタカバー１５やストラップ取り付け部１６の周囲を形成する外装カバーは、サイドカバー１６０である。サイドカバー１６０は、樹脂で形成されており、非導電性である。尚、第１の実施形態においては、トップカバー１５０とサイドカバー１６０は一体に形成されている。
【００１５】
デジタルカメラ１の正面には、被写体の画像を取り込む為のレンズユニット２０が配置されている。レンズユニット２０の周囲には、フロントリング２１が配置されている。レンズユニット２０の右下部には、スピーカーからの音を発するためのスピーカー開口孔２２が、右上部および左上部には、デジタルカメラ１の外部からの音声を取り込むためのマイク孔２３が、上部には、ＬＥＤ補助光２４が配置されている。デジタルカメラ１の正面右上部には、ストロボ発光部２５が配置されている。これらのレンズユニットやストロボユニットの周囲を形成する外装カバーは、フロントカバー２１０である。デジタルカメラ１のストロボ側側面を形成する外装カバーは、電池電源であるところのバッテリーを収納する為のバッテリーボックスユニット２２０である。デジタルカメラ１の正面の左下部から底面を形成しているのは、メモリーカードを取り出す時に開閉するメモリーカード蓋２６で、右下部から底面を形成しているのは、バッテリーを取り出す時に開閉するバッテリーカバー２７である。
【００１６】
図２を用いて、液晶表示パネルの表示装置１００の構成について説明する。図２は、液晶表示パネルの表示装置１００の分解斜視図である。保護窓ユニット１１０と液晶表示パネルユニット１２０、から構成されている。保護窓ユニット１１０は、ガラス製または無色透明樹脂製の保護窓１１１と、不図示のタッチ操作検出用回路シートと、その信号を伝える為のタッチパネル用フレキシブル回路基板１１２、から構成されている。タッチ操作検出用回路シートとタッチパネル用フレキシブル回路基板１１２は、不図示の半田付けにて接続されている。保護窓１１１とタッチ操作検出用回路シートは、光学粘着シートによって、接着されている。
【００１７】
本実施例においては、タッチ操作式としているが、この限りではない。液晶表示パネルユニット１２０は、液晶表示パネル１２１と、その右端に液晶表示パネル用フレキシブル回路基板１２２と、液晶表示パネル１２１の明るさを調整するためのＬＥＤを実装したバックライト用フレキシブル回路基板１２３、から構成されている。その他、背面側には、液晶表示パネルユニット１２０を保持する為のフレームとして下ベゼルが配置されている。保護窓ユニット１１０と液晶表示パネルユニット１２０は、光学粘着シートによって、接着されている。
【００１８】
図３は、デジタルカメラ１の分解斜視図である。図３を用いて、液晶表示パネルの表示装置１００の組み付け等について説明する。デジタルカメラ本体５０は、メインシャーシ５１に、ストロボユニット５２と、電池電源であるところのバッテリーを収納する為のバッテリーボックスユニット２２０と、信号処理を行う電子回路基板５３とが取り付けられている。図３では見えないが、メインシャーシ５１の前面側には、不図示のレンズユニット２８、が取り付けられている。
【００１９】
液晶表示パネルの表示装置１００の右側部に配置されている３つのフレキシブル回路基板１１２、１２２、１２３を電子回路基板５３上に実装されている不図示の接続用のコネクタにそれぞれ挿入し、液晶表示パネルの表示装置１００をメインシャーシ５１上に配置する。ストラップ取付部１６をグリップ側側面より取り付ける。トップ・サイドカバーユニット１７０は、トップカバー１５０とサイドカバー１６０が一体に形成されたカバー部材に、電源ボタン１０、レリーズボタン１１、ズームレバー１２などが取り付けられているユニットである。
【００２０】
このトップ・サイドカバーユニット１７０を上面側より、サイドカバー１６０を開きながらデジタルカメラ本体５０に組み付ける。サイドカバーを開きながら組み付けるのは、突出したストラップ取付部１６を乗り越えるためである。開きながら組み付けたサイドカバー１７０をもとに戻すように組み付ける。最後に、背面からリアカバーユニット２００を組み付け、正面よりフロントカバーユニット２１０を組み付けて、デジタルカメラ１が完成される。
【００２１】
図４を用いて、デジタルカメラ１におけるカバーの隙間からフレキシブル回路基板が見えてしまうことを防ぐ構造について説明する。図４（ａ）は、デジタルカメラ１の背面図で、図４（ｂ）は、その断面拡大図である。断面の位置は、タッチパネル用フレキシブル回路基板や液晶表示パネル用フレキシブル回路基板が重畳している位置である。サイドカバー１６０には、突出部１６１が設けられている。突出部１６１は、保護窓１１１とリアカバー２００の隙間２０１の下を延伸しており、内部の構造、特にフレキシブル回路基板１１２などが見えないようにすることが可能となる。突出部１６１には、保護窓１１１の受け部１６１ａが設けられている。
【００２２】
保護窓１１１の端部１１１ａは、液晶表示パネル１２１の端部１２１ａよりもリアカバー２００側へ延伸している。つまり、保護窓１１１の端部１１１ａ近傍を外側から内側に向かって外力を加えると、保護窓１１１が破損する恐れがある。しかし、受け部１６１ａが設けられている為、外力によって、保護窓１１１の破損を防ぐことが可能となっている。また、突出部１６１には、傾斜部１６１ｂが設けられている。傾斜部１６１ｂによって、タッチパネル用フレキシブル回路基板１１２や液晶表示パネル用フレキシブル回路基板１２２を挿通するための隙間を確保することが可能となっている。これによって、保護窓１１１の端部１１１ａの突出量を最小限に抑えることが可能となる。
【００２３】
ここで、隙間２０１から入ってくる静電気についても考慮する必要がある。第１の実施形態において、保護窓１１１は、ガラスもしくは無色透明の樹脂で形成されており、非導電性である。リアカバー２００は、アルミニウム合金などの導電性部材で形成されており、導電性である。サイドカバー１６０は、樹脂で形成されており、非導電性である。導電性のリアカバー２００を不図示のグランドと導通させることによって、静電気による影響を回避することが可能となっている。
【００２４】
＜第２の実施形態＞
第２の実施形態において、第１の実施形態と重複する内容については、説明を省略する。図５を用いて、第２の実施形態について説明する。第２の実施形態において、リアカバー２００は、樹脂で形成されており、非導電性である。図５（ａ）は、デジタルカメラ１の背面図で、図５（ｂ）は、その断面拡大図である。図５は、図４と同様の構成となっているが、サイドカバー１６０の突出部１６１を覆うように導電性のシート１６２が貼り付けられている。導電性シート１６２は、不図示のグランドに接続されている。これにより、隙間２０１からの静電気による影響を回避することが可能となる。
【００２５】
従来は、タッチパネル用フレキシブル回路基板１１２や液晶表示パネル用フレキシブル回路基板１２２上に導電性のシートを追加することで、静電気による影響を回避していたが、非常に狭い個所に貼り付けていたので、作業性が良くなかった。第２の実施形態においては、サイドカバー１６０の突出部１６１の周囲に導電性のシート１６２を貼り付ける際には、周囲に余計な部材がなく広い個所に貼り付けることが可能なので、導電性のシート１６２の貼り付け作業性を改善することが可能となる。
【００２６】
さらには、サイドカバー１６０が、カーボンや金属フィラーなどを含む既知の導電性樹脂製の場合において、不図示のグランドと導通させることによって、静電気による影響を回避することが可能となる。この時、導電性のシート１６２は、取り除くことが可能である。
【００２７】
以上、第１、第２の実施形態を用いて説明したように、外観の品位を損ねることなく、静電気による影響のない、薄型化、および低コストを実現した表示装置を搭載する電子機器を提供することが可能となる。
【符号の説明】
【００２８】
１              デジタルカメラ
１６            ストラップ取付部
５１            メインシャーシ
１００          液晶表示パネルの表示装置
１１０          保護窓ユニット
１１１          保護窓
１１１ａ        保護窓の端部
１１２          タッチパネル用フレキシブル回路基板
１２０          液晶表示パネルユニット
１２１          液晶表示パネル
１２１ａ        液晶表示パネルの端部
１２２          液晶表示パネル用フレキシブル回路基板
１２３          バックライト用フレキシブル回路基板
１６０          サイドカバー
１６１          サイドカバーの突出部
１６１ａ        サイドカバーの突出部にある保護窓の受け部
１６１ｂ        サイドカバーの突出部にある傾斜部
１６２          導電性のシート
２００          リアカバー
２０１          保護窓とリアカバーの隙間
【図１】
2014235208.tif 000003
【図２】
2014235208.tif 000004
【図３】
2014235208.tif 000005
【図４】
2014235208.tif 000006
【図５】
2014235208.tif 000007